(57)【要約】【課題】各中継装置がアカウントをもって中継管理装置にアカウント情報を登録し、中継管理装置のアカウント情報に基づき、中継装置間で直接トンネリングセッションを確立する中継通信システムにおいて、アカウントの管理を容易に行う。【解決手段】各中継装置１０、４０が一つのアカウントを共有する。アカウント共有情報記憶部にアカウントの共有が記憶されている場合には、中継装置１０は、アカウントを上書きしない登録要求を中継管理装置３０に送信する。中継管理装置３０は、前記登録要求を受けた場合、アカウントに対して既にアカウント情報が登録されている場合には、肯定応答を中継装置１０に返し、アカウントに対してアカウント情報が登録されていない場合には、否定応答を中継装置１０に送信する。【選択図】図１
2017076847.tif 000002
【特許請求の範囲】
【請求項１】
ネットワークに対して信号を送受信する第１のネットワークインタフェースと、
アカウントとアカウント情報とを関連付けて記憶するアカウント情報記憶部と、
前記第１のネットワークインタフェースで受信した登録要求信号を処理する登録要求処理部と、
前記登録要求処理部の処理結果に対して、前記中継装置に対する応答信号を生成する登録応答処理部を有し、
前記登録要求処理部は、受信した登録要求信号が第１の登録要求信号と判定した場合には、アカウントに対してアカウント情報を上書きして登録し、
受信した登録要求信号が第２の登録要求信号と判定した場合には、アカウントに対して既にアカウント情報が登録されているかどうか判定し、アカウント情報が登録されている場合には、アカウント情報を上書きすることなく保持し、アカウント情報が登録されていない場合には登録を拒絶し、
前記登録応答処理部は前記登録要求処理部が中継装置を登録した場合には、肯定応答を前記第１のネットワークインタフェースを介して前記中継装置に送信し、前記登録要求処理部は中継装置の登録を拒絶した場合には、否定応答を前記第１のネットワークインタフェースを介して前記中継装置に送信することを特徴とする中継管理装置。
【請求項２】
ネットワークに対して信号を送受信する第２のネットワークインタフェースと、
アカウントとその共有の有無を記憶するアカウント共有情報記憶部と、
アカウント共有情報記憶部にアカウントの共有が記憶されているかどうか判定するアカウント共有判定部と、
前記アカウント共有判定部がアカウントの共有がないと判定した場合には、アカウント情報を上書きする第１の登録要求信号を生成する第１の登録要求部と、前記アカウント共有判定部がアカウントの共有があると判定した場合には、アカウント情報を上書きしない第２の登録要求信号を生成する第２の登録要求部を備え、
前記第２のネットワークインタフェースは、前記第１の登録要求信号又は前記第２の登録要求信号を中継管理装置に対して送信することを特徴とする中継装置。
【請求項３】
中継管理装置と、複数の中継装置がネットワークを介して接続される中継通信システムにおいて、
前記中継管理装置は、
ネットワークに対して信号を送受信する第１のネットワークインタフェースと、
アカウントとアカウント情報とを関連付けて記憶するアカウント情報記憶部と、
前記第１のネットワークインタフェースで受信した登録要求信号を処理する登録要求処理部と、
前記登録要求処理部の処理結果に対して、前記中継装置に対する応答信号を生成する登録応答処理部を有し、
前記登録要求処理部は、受信した登録要求信号が第１の登録要求信号と判定した場合には、アカウントに対してアカウント情報を上書きして登録し、
受信した登録要求信号が第２の登録要求信号と判定した場合には、アカウントに対して既にアカウント情報が登録されているかどうか判定し、アカウント情報が登録されている場合には、アカウント情報を上書きすることなく保持し、アカウント情報が登録されていない場合には登録を拒絶し、
前記登録応答処理部は前記登録要求処理部が中継装置を登録した場合には、肯定応答を前記第１のネットワークインタフェースを介して前記中継装置に送信し、前記登録要求処理部は中継装置の登録を拒絶した場合には、否定応答を前記第１のネットワークインタフェースを介して前記中継装置に送信し、
前記中継装置は、
ネットワークに対して信号を送受信する第２のネットワークインタフェースと、
アカウントとその共有の有無を記憶するアカウント共有情報記憶部と、
アカウント共有情報記憶部にアカウントの共有が記憶されているかどうか判定するアカウント共有判定部と、
前記アカウント共有判定部がアカウントの共有がないと判定した場合には、アカウント情報を上書きする第１の登録要求信号を生成する第１の登録要求部と、前記アカウント共有判定部がアカウントの共有があると判定した場合には、アカウント情報を上書きしない第２の登録要求信号を生成する第２の登録要求部を備え、
前記第２のネットワークインタフェースは、前記第１の登録要求信号又は前記第２の登録要求信号を中継管理装置に対して送信することを特徴とする中継通信システム。
【発明の詳細な説明】
【技術分野】
【０００１】
本発明は、ワイドエリアネットワーク（ＷＡＮ）を越えてローカルエリアネットワーク（ＬＡＮ）内の通信端末同士が通信を行う技術に関する。
【背景技術】
【０００２】
ＳＩＰ（Ｓｅｓｓｉｏｎ ＩｎｉｔｉａｔｉｏｎＰｒｏｔｏｃｏｌ）などの呼制御プロトコルや、ＤＤＮＳ（Ｄｙｎａｍｉｃ ＤｏｍａｉｎＮａｍｅ Ｓｙｓｔｅｍ）を利用して、異なるＬＡＮ（Ｌｏｃａｌ  Ａｒｅａ  Ｎｅｔｗｏｒｋ）に存在する通信端末同士が、ＷＡＮを越えて直接通信することが可能である。いわゆるＶＰＮ（ＶｉｒｔｕａｌＰｒｉｖａｔｅ Ｎｅｔｗｏｒｋ）と呼ばれる技術であり、遠隔地にある異なるＬＡＮを、あたかも直接接続されているネットワークのように利用できる。
【０００３】
このような技術を利用することで、たとえば、本社と支社の間のＬＡＮを接続し、それぞれのＬＡＮに接続された通信端末間で、インターネットなどのＷＡＮを越えた通信を行うことができる。
【０００４】
特許文献１では、各ＬＡＮに中継サーバを設け、各中継サーバがアカウント情報をＳＩＰサーバに登録し、ＳＩＰのＩＮＶＩＴＥメソッドにより、中継サーバ間で直接トンネリングセッションを確立する。このトンネリングセッションを通して、１のＬＡＮの通信機器と他のＬＡＮの他の通信機器との間でデータを通信できる。
【先行技術文献】
【特許文献】
【０００５】
【特許文献１】特許第４２２２３９７号公報
【発明の概要】
【発明が解決しようとする課題】
【０００６】
特許文献１は、各中継サーバがアカウントを有し、ＳＩＰサーバに各中継サーバがアカウント情報を登録する。中継サーバの数が増えるとアカウントの数も増え、アカウントの管理も煩雑となる。また、アカウントは課金の単位とされることも多く、アカウントが増えると課金管理も煩雑になる問題がある。
【０００７】
本発明は、上記課題を解決するためになされたものであり、アカウントの管理を容易にできる中継管理装置、中継装置、及び、中継通信システムを提供する。
【課題を解決するための手段】
【０００８】
上記課題を解決するために、本発明の中継管理装置は、ネットワークに対して信号を送受信する第１のネットワークインタフェースと、アカウントとアカウント情報とを関連付けて記憶するアカウント情報記憶部と、前記第１のネットワークインタフェースで受信した登録要求信号を処理する登録要求処理部と、前記登録要求処理部の処理結果に対して、前記中継装置に対する応答信号を生成する登録応答処理部を有し、前記登録要求処理部は、受信した登録要求信号が第１の登録要求信号と判定した場合には、アカウントに対してアカウント情報を上書きして登録し、受信した登録要求信号が第２の登録要求信号と判定した場合には、アカウントに対して既にアカウント情報が登録されているかどうか判定し、アカウント情報が登録されている場合には、アカウント情報を上書きすることなく保持し、アカウント情報が登録されていない場合には登録を拒絶し、前記登録応答処理部は前記登録要求処理部が中継装置を登録した場合には、肯定応答を前記第１のネットワークインタフェースを介して前記中継装置に送信し、前記登録要求処理部は中継装置の登録を拒絶した場合には、否定応答を前記第１のネットワークインタフェースを介して前記中継装置に送信することを特徴としている。
【０００９】
また、本発明の中継装置は、ネットワークに対して信号を送受信する第２のネットワークインタフェースと、アカウントとその共有の有無を記憶するアカウント共有情報記憶部と、アカウント共有情報記憶部にアカウントの共有が記憶されているかどうか判定するアカウント共有判定部と、前記アカウント共有判定部がアカウントの共有がないと判定した場合には、アカウント情報を上書きする第１の登録要求信号を生成する第１の登録要求部と、前記アカウント共有判定部がアカウントの共有があると判定した場合には、アカウント情報を上書きしない第２の登録要求信号を生成する第２の登録要求部を備え、前記第２のネットワークインタフェースは、前記第１の登録要求信号又は前記第２の登録要求信号を中継管理装置に対して送信することを特徴としている。
【００１０】
さらに、本発明の中継通信システムは、上記中継管理装置と複数の上記中継装置とをネットワークに接続して構成され、前記中継装置は、アカウントの共有の有無に応じて、第１の登録要求信号又は第２の登録要求信号を前記中継管理装置に対して送信することにより、一つのアカウントを複数の中継装置で共有することを特徴としている。
【発明の効果】
【００１１】
本発明は、上述のように複数の中継装置で一つのアカウントを共有できるため、アカウントの管理及び課金の管理を容易とすることができる。
【図面の簡単な説明】
【００１２】
【図１】図１は、本発明の実施の形態に係る中継通信システムを説明する図である。
【図２】図２は、実施の形態に係る中継通信システムの中継管理装置の構成を説明するブロック図である。
【図３】図３は、実施の形態に係る中継通信システムの中継装置の構成を説明するブロック図である。
【図４】図４は、中継装置の動作を説明するフロー図である。
【図５】図５は、中継管理装置の動作を説明するフロー図である。
【発明を実施するための形態】
【００１３】
本発明の実施の形態を図１〜図５を参照しながら説明する。  図１は実施の形態に係る中継システム１の構成を示す図である。広域ネットワーク、例えばインターネット５０に接続される中継管理装置３０は、ＳＩＰレジストリサーバとして機能する。拠点Ａの中継装置１０、及び、拠点Ｂの中継装置４０は、それぞれインターネット５０に接続される。
【００１４】
拠点Ａにおいて、中継装置１０はＬＡＮ１８を介して通信機器１９ａ、１９ｂと接続される。同様に、拠点Ｂにおいては、中継装置４０は、ＬＡＮ４８を介して通信機器４９ａ、４９ｂと接続される。なお、通信機器としては、パーソナルコンピュータ、サーバ、各種組み込み機器が用いられる。
【００１５】
図２は、中継管理装置３０の構成を説明する図である。中継管理装置３０は、制御部３１、ＲＯＭ（Ｒｅａｄ  ＯｎｌｙＭｅｍｏｒｙ）３２、ＲＡＭ（Ｒａｎｄｏｍ Ａｃｃｅｓｓ Ｍｅｍｏｒｙ）３３、記憶装置３４、ネットワークインタフェース（第１のネットワークインタフェース）３５、バス３６を備えている。制御部３１はＣＰＵ（ＣｅｎｔｒａｌＰｒｏｃｅｓｓｉｎｇ Ｕｎｉｔ）などから構成され、中継管理装置全体の動作を制御する。ＲＯＭ３２は、制御部３１の制御プログラムを格納し、ＲＡＭ３３は、制御部３１のワークエリアとして用いられる。記憶装置３４には、不揮発性のメモリ、例えばフラッシュメモリ、ハードディスクドライブ（ＨＤＤ）等が用いられ、後述のアカウント、アカウント情報などが保持される。ネットワークインタフェース３５は、インターネット５０にデータを送信するとともに、インターネットからのデータを受信する。バス３６は、制御部３１、ＲＯＭ３２、ＲＡＭ３３、記憶装置３４、ネットワークインタフェース３５を接続し、これらの間でデータの送受信を可能とする。
【００１６】
制御部３１は、さらに登録要求処理部３１ａと登録応答処理部３１ｂを含んでいる。登録要求処理部３１ａは、中継装置１０、４０から送信されてきた登録要求を処理し、登録応答処理部３１ｂは、登録要求処理部３１ａの処理結果に基づき、中継装置１０、４０に対する応答処理を行う。これらの処理の詳細については後述する。なお、登録要求処理部３１ａ及び登録応答処理部３１ｂは、制御プログラムを制御部１１で実行することにより構築される要素である。
【００１７】
図３は、中継装置１０の構成を説明する図である。中継装置１０は、制御部１１、ＲＯＭ１２、ＲＡＭ１３、記憶装置１４、バス１５、第２のネットワークインタフェース１６、ＬＡＮインタフェース（以下、ＬＡＮＩＦという）１７を備えている。制御部１１はＣＰＵなどから構成され、中継管理装置全体の動作を制御する。ＲＯＭ３２は制御部１１の制御プログラムを格納し、ＲＡＭ３３は制御部１１のワークエリアとして用いられる。記憶装置１４は、電源が供給されなくてもデータを保持できる、フラッシュメモリ、ＨＤＤ等から構成される。ネットワークインタフェース１６は、インターネット５０にデータを送信するとともに、インターネットからのデータを受信する。ＬＡＮＩＦ１７は、拠点ＡのＬＡＮ１８に接続し、通信機器１９ａ，１９ｂとデータを送受信することができる。バス１５は、制御部１１、ＲＯＭ１２、ＲＡＭ１３、記憶部１４、ＮＩＥ１６、ＬＡＮＩＦ１７に接続され、これらの間でデータの送受信を可能とする。なお、中継装置４０は、中継装置１０と全く同様の構成であるので、詳細な説明は省略する。
【００１８】
制御部１１は、アカウント共有判定部１１ａ、第１の登録要求処理部１１ｂ、第２の登録要求処理部１１ｃを備えている。アカウント共有判定部１１ａ、第１の登録要求処理部１１ｂ及び第２の登録要求処理部１１ｃは、制御プログラムを制御部１１で実行することにより構築される要素である。記憶装置１４は、アカウントとその共有の有無についての情報を記憶するアカウント共有情報記憶部１４ａを有している。
【００１９】
次に、中継システム１の動作を以下に説明する。まず、中継装置１０の動作を、図４に基づき説明する。中継装置１０の制御部１１は、アカウントに対する共有情報をアカウント情報記憶部１４ａから読み出す（Ｓ１０１）。制御部１１のアカウント共有判定部１１ａは、アカウントに共有設定がされているかどうか判定する（Ｓ１０２）。アカウントが共有設定でない場合には、第１の登録要求処理部１１ｂにより、アカウント情報を上書きする第１の登録要求信号を生成し、ネットワークインタフェース１６を介して中継管理装置３０に第１の登録要求信号（ＲＥＧＩＳＴＥＲ）を送信する（Ｓ１０３）。ここで、アカウント情報は少なくともＩＰアドレスとポート番号を含む。一方、アカウントに共有設定されていない場合には、第２の登録要求処理部１１ｃにより、アカウント情報を上書きしない第２の登録要求信号を生成し、ネットワークインタフェース１６を介して中継管理装置３０に第２の登録要求信号を送信する（Ｓ１０４）。第２の登録要求信号を第１の登録要求信号から区別するために、第２の登録要求信号には、上書きを要求しないことを示すヘッダが付加される。
【００２０】
いずれの要求信号を送信した後も、中継装置１０は、中継管理装置３０からの応答を待つ（Ｓ１０５）。中継管理装置３０からＯＫの応答（肯定応答）あれば、その後ＩＮＶＩＴＥメソッドにより、例えば中継装置４０との間にトンネリングセッションを確立し通信を行う（Ｓ１０６）。一方、中継管理装置３０からエラーの応答（否定応答）を受信した場合には、中継装置１０の図示しないディスプレイまたは通信機器１９ａ，１９ｂの図示しないディスプレイにエラーの発生を表示させ（Ｓ１０７）、処理を終了する。
【００２１】
次に、中継管理装置３０の動作を、図５に基づいて説明する。ネットワークインタフェース３５が信号を受信した場合、制御部３１の要求信号処理部３１aは、第１の要求信号か否かを判定する（Ｓ１１１）。受信した信号が第１の要求信号の場合には、制御部３１はアカウントに対して受信したアカウント情報を上書きし、中継装置の登録を許可する（Ｓ１１２）。ここで上書きするとは、アカウントに対して別のアカウント情報が登録されている場合に、その別のアカウント情報を受信したアカウント情報で上書きするだけでなく、そのアカウントに対してアカウント情報が登録されていない場合には、そのアカウント情報を書き込むことも含むものとする。Ｓ１１２の処理が終了すると、登録応答処理部３１ｂは、ＯＫの応答信号をネットワークインタフェース３５から登録を要求した中継装置に送信する（Ｓ１１３）。
【００２２】
受信した信号が第１の登録要求信号でない場合には、要求信号処理部３１ａは第２の登録要求信号かどうか判定する（Ｓ１１４）。この判定がＮＯの場合には、制御部３１は、受信信号に応じたその他の処理を実行する。第２の登録要求信号であると判定した場合には、要求信号処理部３１ａはアカウント情報記憶部３４ａを参照し、アカウントに対して既にアカウント情報が登録されているか否か判定する（Ｓ１１５）。
【００２３】
アカウントに対してアカウント情報が既に登録されている場合には要求信号処理部３１ａはアカウント情報を上書きすることなく、登録応答処理部３１ｂはＯＫの応答を、ネットワークインタフェース３５を介して登録を要求した中継装置に送信する（Ｓ１１３）。アカウントに対してアカウント情報が既に登録されている場合とは、他の中継装置が第１の登録要求信号を送信し、他の中継装置からのアカウント情報がアカウント情報記憶部３４ａに記憶されている状態を指す。
【００２４】
一方、アカウントに対してアカウント情報が登録されていない場合には、要求信号処理部１３３１ａはアカウント情報を上書きすることなく、要求応答処理部３１ｂはエラーの応答を、ネットワークインタフェース３５を介して、登録を要求した中継装置に送信する（Ｓ１１６）。
【００２５】
このように、アカウントを複数の中継装置の間で共有するには、一つの中継装置が第１の登録要求信号を中継管理装置に送信し、その後他の中継装置が第２の登録信号を中継管理装置に送信することにより達成される。そして、中継装置間で、ＩＮＶＩＴＥメソッドによりトンネリングセッションを確立し、ＶＰＮ通信を行うことができる。
【００２６】
以上、本発明の中継装置等について、実施の形態に基づいて説明したが、本発明は、この実施の形態に限定されるものではない。本発明の趣旨を逸脱しない限り、当業者が思いつく各種変形を本実施の形態に施したものや、異なる実施の形態における構成要素を組み合わせて構築される形態も、本発明の範囲内に含まれる。
【産業上の利用可能性】
【００２７】
本発明は、一つのアカウントを複数の中継装置で共有できるように構成し、アカウントの管理及び課金の管理が容易に行える中継管理装置、中継装置、及び中継通信システムに関する。
【符号の説明】
【００２８】
１    中継通信システム
１０  中継装置
１１  制御部
１１ａ  アカウント共有判定部
１１ｂ  第１の登録要求処理部
１１ｃ  第２の登録要求処理部
１４  記憶装置
１４ａ  アカウント共有情報記憶部
１６  ネットワークインタフェース（第２のネットワークインタフェース）
１７  ＬＡＮインタフェース
１８  ＬＡＮ
１９ａ  通信機器
１９ｂ  通信機器
３０  中継管理装置
３１  制御部
３１ａ  登録要求処理部
３１ｂ  登録応答処理部
３４  記憶装置
３５  ネットワークインタフェース（第１のネットワークインタフェース）
４０  中継装置
４８  ＬＡＮ
４９ａ  通信機器
４９ｂ  通信機器
５０  インターネット
【図１】
2017076847.tif 000003
【図２】
2017076847.tif 000004
【図３】
2017076847.tif 000005
【図４】
2017076847.tif 000006
【図５】
2017076847.tif 000007